(57)【特許請求の範囲】
【請求項１】
上面に開口を有し、その開口を網、および／または、多数の小孔を有するプレート、で覆ってなる台と、上記台の開口下方に設けたバキューム装置と、前記台の上面の上方に設けられ、かつ、該台の上面と平行に回転する刃物と、該刃物を前記台の上面にほぼ平行にスライドさせるスライド手段とよりなり、
前記台の網、および／または、多数の小孔を有するプレート、に載置した複数のシートを重ねて刺繍した刺繍布地を、前記バキューム装置の作動で前記台に吸着固定し、前記刃物をスライドさせ、前記刃物で前記複数のシートの最上段のシートの表面に現れた上糸の中間部を順次削除するか、または、
刃物をスライドさせて、重ねた複数のシートの内いずれか重なった２枚の間に刃物の先を入れ、順次上糸を切断する  
ことを可能とする刺繍表面の上糸削除・切断装置。
【請求項２】
上面に開口を有し、その開口を網、および／または、多数の小孔を有するプレート、で覆ってなるスライド台と、該スライド台をスライドさせるスライド手段と、前記スライド台の開口下方に設けたバキューム装置と、前記スライド台の上面の上方に設けられ、該スライド台の上面と平行に回転する刃物とよりなり、
前記スライド台の網、および／または、多数の小孔を有するプレート、に載置した複数のシートを重ねて刺繍した刺繍布地を、前記バキューム装置の作動で前記台に吸着固定し、前記スライド台をスライドさせ、前記刃物で前記複数のシートの最上段のシートの表面に現れた上糸の中間部を順次削除するか、または、
前記スライド台をスライドさせて、重ねた複数のシートの内いずれか重なった２枚の間に刃物の先を入れ順次上糸を切断する  
ことを可能とする刺繍表面の上糸削除・切断装置。
【請求項３】
台または刃物が、高さを調整することを可能とする請求項１または２に記載の刺繍表面の上糸削除・切断装置。
【請求項４】
刃物が、モーターでほぼ水平回転する盤状の回転刃、モーターでスライド方向に直角に横にして回転する円柱状回転刃、または、スライド方向に対して直角で横方向に往復運動する長刃、のいずれかよりなることを特徴とする請求項１乃至３のいずれかに記載の刺繍表面の上糸削除・切断装置。
【請求項５】
上面に開口を有し、その開口を、網および／または、多数の小孔を有するプレート、で覆ってなる台の下方にバキューム装置を設けた刺繍布地の固定台と、小型モーターの軸の先端に、該軸に直角の面で回転する回転刃を取付けた手持ち式刃物とよりなり、
前記台の網、および／または、多数の小孔を有するプレート、に載置した複数のシートを重ねて刺繍した刺繍布地を、前記バキューム装置の作動で前記台に吸着固定し、前記回転刃の先を前記重ねたシートの上面に現れた上糸に当てながら押し、前記固定台の上面と平行に移動させて、前記複数のシートの最上段のシートの表面に現れた上糸の中間部を順次削除するか、または、
重ねた複数のシートの内、いずれか重なった２枚の間に手持ち式刃物の回転刃の先を入れ、手持ち式刃物を押して、上糸を順次切断することを可能とする刺繍表面の上糸削除・切断装置。
【発明の詳細な説明】
【０００１】
【発明の属する技術分野】
この発明は、刺繍布地の上に複数枚の布またはシート（以下単にシートと言う）を重ねて刺繍し、その上面に表れた刺繍の上糸の中間部を削除するか、または、重ねた複数のシートの内、いずれかの重なった２枚のシートの間に刃物を入れて上糸を切断し、刺繍布地に重ねた複数枚のシートを取り除き、刺繍上糸を起立した房毛にする際の、刺繍表面の上糸削除または切断する装置に関するものであり、また、厚めのシートの全面または一部の表裏を分断する装置に関するものである。
【０００２】
【従来の技術】
従来、房毛の刺繍を形成するためには、特開平１１−３１５４６６号で開示した加工方法がある。
この方法は、図５および図６に示すように、刺繍用布地１に刺繍した刺繍の、刺繍用布地１の裏面に表れた上糸２および下糸３を刺繍用布地１に接着固定した後、刺繍用布地１の表面に表れた上糸２の中間を、先の細い刃物４で切断するものである。
【０００３】
ところが、この刃物４で上糸２の中間を切断するためには、刃物４の先を上糸２の下で刺繍用布地１との間に入れて上糸２を１本づつ順次切断しなければならず、また、刺繍用布地１が動いて安定せず、大変神経を使い、多大の労力と時間を必要とする。
また、切断前に刺繍用布地１の裏面に表れた上糸２と下糸３とを刺繍用布地１の裏面に接着固定するために刺繍の上から刺繍用布地１を加熱プレスするので、上糸２の中間を刃物４の先で切断しても、上糸２は加熱プレスでくせがついていて起立しない。起立させるためには蒸気を当てて梳く等何らかの作業が必要で、これも大変な労力と時間が必要とする。
【０００４】
そこで出願人は、容易に刺繍布地表面の上糸を起立させて刺繍模様を房毛で形成する新しい方法を開発し、特開２００１−４０５７０により開示した。
この新たな方法は、刺繍用布地１に複数のシート５を重ねて刺繍し、刺繍用布地１の裏面に表れた上糸２および下糸３を刺繍布地に接着固定した後に、最上面に表れた上糸の中間部２ａを削除し、または、重ねた複数のシート５の内いずれか重なった２枚のシート５間で上糸を切断し、重ねたシート５を持ち上げて刺繍用布地１と離し取り除く方法である。
重ねたシート５を取り除いた後には、取り除いたシートの厚み相当の高さで刺繍用布地１の表面の上糸が起立している。
【０００５】
【発明が解決しようとする課題】
この発明は、上記特開２００１−４０５７０の刺繍模様形成方法において、シート５の表面に表れた刺繍の上糸の中間部の削除、または、重ねたシートの間で上糸を切断することを容易にするための削除・切断装置であって、また、フェルト、ゴム、プラスチック等の厚めのシートを全面または一部分を表裏分断することのできる装置を提供することを目的とする。
【０００６】
【課題を解決するための手段】
上面に開口を有し、その開口を網、および／または、多数の小孔を有するプレート、で覆ってなる台と、上記台の開口下方に設けたバキューム装置と、前記台の上面の上方に設けられ、かつ、該台の上面と平行に回転する刃物と、該刃物を前記台の上面にほぼ平行にスライドさせるスライド手段とで装置を構成し、
前記台の網、および／または、多数の小孔を有するプレート、に載置した複数のシートを重ねて刺繍した刺繍布地を、前記バキューム装置の作動で前記台に吸着固定し、前記刃物をスライドさせ、前記刃物で前記複数のシートの最上段のシートの表面に現れた上糸の中間部を順次削除するか、または、
刃物をスライドさせて、重ねた複数のシートの内いずれか重なった２枚の間に刃物の先を入れ、順次上糸を切断することを可能とする。
【０００７】
上面に開口を有し、その開口を網、および／または、多数の小孔を有するプレート、で覆ってなるスライド台と、該スライド台をスライドさせるスライド手段と、前記スライド台の開口下方に設けたバキューム装置と、前記スライド台の上面の上方に設けられ、該スライド台の上面と平行に回転する刃物とで装置を構成し、
前記スライド台の網、および／または、多数の小孔を有するプレート、に載置した複数のシートを重ねて刺繍した刺繍布地を、前記バキューム装置の作動で前記台に吸着固定し、前記スライド台をスライドさせ、前記刃物で前記複数のシートの最上段のシートの表面に現れた上糸の中間部を順次削除するか、または、
前記スライド台をスライドさせて、重ねた複数のシートの内いずれか重なった２枚の間に刃物の先を入れ順次上糸を切断することを可能とする。
【０００８】
台または刃物が、高さを調整することを可能とする。
刃物は、モーターでほぼ水平回転する盤状の回転刃、モーターでスライド方向に直角に横にして回転する円柱状回転刃、または、スライド方向に対して直角で横方向に往復運動する長刃、のいずれかを用いる。
【０００９】
上面に開口を有し、その開口を、網および／または、多数の小孔を有するプレート、で覆ってなる台の下方にバキューム装置を設けた刺繍布地の固定台と、小型モーターの軸の先端に、該軸に直角の面で回転する回転刃を取付けた手持ち式刃物とで構成し、
前記台の網、および／または、多数の小孔を有するプレート、に載置した複数のシートを重ねて刺繍した刺繍布地を、前記バキューム装置の作動で前記台に吸着固定し、前記回転刃の先を前記重ねたシートの上面に現れた上糸に当てながら押し、前記固定台の上面と平行に移動させて、前記複数のシートの最上段のシートの表面に現れた上糸の中間部を順次削除するか、または、
重ねた複数のシートの内、いずれか重なった２枚の間に手持ち式刃物の回転刃の先を入れ、手持ち式刃物を押して、上糸を順次切断することを可能とする。
【００１０】
【発明の実施の形態】
この発明の実施の形態を図面により説明する。
第１の実施の形態の装置を図１に示す。
この装置は、次のとおり構成する。
上面に開口を有する台で、その開口を網または多数の小孔を設けたプレートで覆ってなる台１１の下方にバキューム装置１２を設け、前記網またはプレートの下方より吸気可能とする。
台１１の上面は、多数の小孔を設けたプレートの上に網を重ねてたものにしてもよい。
前記網または多数の小孔を設けたプレート、または、多数の小孔を設けたプレートの上に網を重ねてたもの、を以下網等と言う。
バキューム装置１２による吸気で、台１１の上面の網等が曲がらないように、網等の下方に桟を設ける。
台１１の両脇にスライド可能なスライダー１３を設ける。
一方、２つのスライダー１３に両端を載置できる大きさの部材１４にモーター１５を取付け、モーター軸を部材１４の下方に貫通させ、その先端にほぼ水平に回転する盤状の回転刃１６を取付けて、部材１４の両端を２つのスライダー１３に係止する。
台１１または回転刃１６を高さ調整可能とする。
【００１１】
スライダー１３のスライドは、スライダー１３に取付けた部材１４を手で押してスライドさせるか、または、図示してないが、一方のスライダー１３に小型モーターを取付け、そのモーター軸に歯車を取り付け、スライダー１３のスライド軌道の棒体１３ａに平行にねじラックまたはウォームギヤー等の棒状ギヤーを設け、モーター軸に取付けた歯車を棒状ギヤーに噛み合わせ、小型モーターの回転により、歯車が棒状ギヤーに導かれて移行し、スライダー１３が自動的にスライドするようにする。
上記スライド手段以外に公知のスライド手段を用いてもよい。
【００１２】
回転刃１６が、スライダー１３のスライド方向に対して固定した位置で平行に移行するように、モーター１５を部材１４に固定してもよいが、図１に示すように、部材１４に、スライダー１３のスライド方向に対して直角に長孔１７を設け、長孔１７にモーター軸を差込み、その先端に回転刃１６を取付けて、モーター軸を長孔１７の中を移動させて、モーター１５の位置を調整して固定させてもよい。
【００１３】
この装置は次のとおり使用する。
図３に示すように、刺繍用布地１に複数のシート５を重ねて刺繍し刺繍用布地１の裏面に表れた上糸と下糸を接着固定したものを、刺繍用布地１を下側にして台１１の上面の網等に載置し、バキューム装置１２を作動させると、刺繍用布地１およびシート５は台１１に吸い付けられて固定する。
次いで台１１または回転刃１６の高さを調整し、モーター１５で回転刃１６を回転させ、部材１４をスライドさせ、最上段のシート５の表面に表れた上糸２の中間部２ａを順次削除していく。
上糸２の中間部２ａの削除が終わったら、バキューム装置１２の作動を止め、シート５を重ねた刺繍用布地１を台１１より取り外し、刺繍用布地１からシート５を外すと、重ねてあった複数枚のシート５の厚みの高さで上糸が起立している。
【００１４】
回転刃１６はほぼ水平に回転する盤状の回転刃であるが、これに代わって、回転カンナのような円筒状または円柱状の部材に刃を設けたものを横にして回転できるようにしてもよい。
【００１５】
なお、回転刃１６やカンナ形式の刃物の代わりに、長刃を取り付けてもよい。この長刃は、モーターでスライド方向に直角に、すなわち、横方向に往復運動するか、または、横方向に往復運動しない固定したものであってもよい。
【００１６】
なお、最上段のシート５の表面に現れた上糸２の中間部を削除する代わりに、重ねた複数のシート５の内、いずれか重なった２枚の間に刃物の先を入れ、刃物スライドさせて順次上糸２を切断してもよい。この場合に、切断後に重ねた複数のシート５を取り除けば、切断箇所より下の高さの房毛ができる。
【００１７】
なお、この装置１０は、刺繍上糸の中間部２ａの削除だけでなく、次のように用いることもできる。
少し厚めのフェルト、ゴム、プラスチック等のシートを台１１に載置し、バキューム装置１２を作動させてシートを台１１に吸着固定する。
次いで、円盤状の回転刃１６またはカンナ式の刃物を回転させて、または長刃を横方向に往復運動させ、または、往復運動をさせないで、刃物の刃先をシートの縁の厚みの中間に当てながら部材１４をスライドさせ、シートを上下に、すなわち、表裏２つに分断する。
シートの表裏分断は、シートの全面にわたって行ってもよく、または、シートの一部であってもよい。
【００１８】
第２の実施の形態の装置を図２に示す。
この装置２０は、刃物を手で持って操作する形式のものである。
【００１９】
装置１０と同様に、上方に開口を有し、その開口を網等で覆った台１１の前記開口下方にバキューム装置１２を設け、網等の下方から吸気可能とする。
バキューム装置１２による吸気で、台１１の網等が曲がらないように、網等の下方に桟を設ける。
【００２０】
刺繍上糸の中間部２ａを削除するための刃物２１は、手持ち式で片手で操作できる大きさ、重さのものである。
刃物２１は、小型モーター２２の回転軸の先端に、回転刃２３を取り付けてなる。回転刃２３は、円盤状のものでもよく、または、カンナ式のものでもよい。
【００２１】
安全を図るために、小型モーター２２と回転刃２３を、回転２３方向を開口とするキャップ２４内に取付け、回転刃２３の刃先の一部が僅かに突出するように、開口の縁に湾入部２５を設ける。
【００２２】
この装置２０は次のように使用する。
すなわち、図３に示すように、刺繍用布地１に複数のシート５を重ねて刺繍し刺繍用布地１の裏面に表れた上糸と下糸を接着固定したものを、刺繍用布地１を下側にして台１１に載置し、バキューム装置１２を作動させると、刺繍用布地１およびシート５は台１１に吸い付けられて固定する。
次いで、刃物２１を片手で持ち、小型モーター２２で回転刃２３を回転させ、湾入部２５よりわずかに突出した回転刃２３の刃先を刺繍上糸２の中間部２ａに当て、順次中間部２ａを削除するか、または、重ねた複数のシート５の内、いずれか重なった２枚の間に刃物の先を入れ、刃物２１を押してスライドさせ、順次上糸２を切断してもよい。この場合に、切断後に重ねた複数のシート５を取り除けば、切断箇所より下の高さの房毛ができる。
上糸２の中間部２ａの削除または上糸の切断が終わったら、小型モーター２２の回転を止め、バキューム装置１２の作動を止め、刺繍用布地１からシート５を外し、刺繍用布地１を台１１より取り外すと、重ねてあった複数枚のシート５の厚みの高さ、または切断箇所より下の高さの上糸が起立している。
【００２３】
この装置２０も、装置１０について説明したのと同様に、厚めのシートを台１１に吸着固定し、回転させた回転刃２３の刃先をシートの縁の厚みの中間に当てながら刃物２１を押して行くと、順次シートの表裏を全面的または部分的に分断して行くことができる。
【００２４】
第３の実施の形態を図４に示す。
この装置３０は、台３１の上面に、縦長の開口３２を設け、開口３２の長手両側に、平行に、棒体１３ａでスライドするスライダー１３を設ける。
【００２５】
２つのスライダー１３の間で、開口３２を跨いで、両側をスライダー１３に係止したスライド台３３を設ける。
スライド台３３の上面には開口を設け、その開口を網等で覆う。
スライド台３３の下面には、小さい車を取り付けて、台３１の上面を移動し易くしてもよい。
【００２６】
開口３２の下方には、バキューム装置１２を配設し、バキュームチューブ１２ａをスライド台３３に連結し、スライド台３３の網等の下方で吸気可能とする。
【００２７】
スライド台３３は、手動でスライドさせてもよく、または、先の実施例の場合と同様に、何れか一方のスライダー１３に小型モーターを取付け、スライダー１３のスライド軌道の棒体１３ａに平行に棒状ギヤーを設け、小型モーター軸に取付けた歯車を棒状ギヤーに噛み合わせ、小型モーターの回転で歯車が棒状ギヤーに導かれて移行し、スライダー１３が自動的にスライドし、それに応じてスライド台３３も自動的にスライドするようにしてもよい。
【００２８】
２つのスライダー１３およびスライド台３３を跨いで、スライド台３３のスライド方向に直角に長孔１７を有する部材３４を台３１に取付け、モーター１５を、その軸を上方から長孔１７に通して、長孔内を移行・停止可能に部材３４に取り付ける。
部材３４には長孔１７を設けずに、普通の孔を設けてモーター１５の軸を通してモーター１５を部材３４に取付けてもよい、この場合には、モーター１５は部材３４において移行しない。
【００２９】
モーター１５の軸の先端に刃物を取り付ける。
刃物は先の実施の形態の装置において使用した回転刃１６、カンナ式回転刃、長刃等いずれのものでもよい。
刃物は高さ調整可能とする。
【００３０】
先に説明した装置１０では、刺繍布地やシート等を吸着した台１１はスライドせず、刃物が移行して、刺繍の上糸を削除または切断し、または、シートの全面または一部を表裏分断したが、装置３０では、刃物は移行せず、刺繍布地やシート等を吸着したスライド台３３をスライドさせ、刃物で刺繍の上糸を削除または切断し、または、シートの全面または一部を表裏分断する点が異なるだけで、その他は装置１０の使用と同様の要領で使用する。
【００３１】
【発明の効果】
この発明に係る装置は、バキューム装置でシートを重ねた刺繍布地を台に吸い付けて固定安定しており、台または刃物の高さを調整すれば、後はスライダーをスライドさせて刃物または台を移行させ、重ねたシートの表面に表れた上糸を刃物で順次削り取って行けば、表面に表れた上糸の中間部が容易に取り除くことができる。
この際、台または刃物の高さ調整により多少回転刃で最上段のシートを押し気味にし、最上段のシートが多少傷み気味に刃物で押せば、上糸の中間部が確実に削除できる。最上段のシートが傷んでも、このシートは取り除いて棄てるものであるので問題はない。
また、この装置の刃物の先を刺繍用シートに重ねた複数のシートの内、何れか重なった２枚のシートの間に入れて刃物または台をスライドさせることにより、上糸を容易に順次切断し、切断後に重ねたシートを取り除けば、切断箇所より下の高さの房毛がきれいに形成される。
また、この装置は、厚めのシートを、全面的または部分的に、容易に表裏分断することができる。
【図面の簡単な説明】
【図１】この発明に係る装置の要部斜視図である。
【図２】この発明に係る他の実施の形態の装置の要部斜視図である。
【図３】刺繍布地に複数のシートを重ねて刺繍したものの要部断面説明図である。
【図４】この発明に係る他の実施の形態の装置の要部斜視図である。
【図５】刺繍の平面図である。
【図６】従来の刺繍上糸切断の説明図である。
【符号の説明】
１  刺繍用布地
２  上糸
３  下糸
４  刃物
５  シート
１０  装置
１１  台
１２  バキューム装置
１３  スライダー
１４  部材
１５  モーター
１６  回転刃
１７  長孔
２０  装置
２１  刃物
２２  小型モーター
２３  回転刃
２４  キャップ
２５  湾入部
２６  電線
３０  装置
３１  台
３２  開口
３３  スライド台
３４  部材
【図１】
0004004258.tif 000002
【図２】
0004004258.tif 000003
【図３】
0004004258.tif 000004
【図４】
0004004258.tif 000005
【図５】
0004004258.tif 000006
【図６】
0004004258.tif 000007